(57)【要約】      （修正有）【課題】空調用送風を通気性床材表面より吐出するように構成し、天井の空調吹出口や天井裏のダクトが不要となり、コストを低減し、空間を広く利用することができ、床面からの吹出しで空調時の強い空気流を感じることのない通気性滑動免震フロアを提供する。【解決手段】通気性免震滑動プレート２０が通気孔２２を有する表面と凹凸面を有する裏面と、一体的に形成されたコーナー部から空調用の空洞部２１を構成し、複数の通気性免震滑動プレートをベースプレート３０表面に載置し、通気性免震滑動プレートコーナー部２０１に固定座金２３と受け座金２３２を嵌着し、固定座金と受け座金に螺合される固定ネジ２４を締め付けて、通気性免震滑動プレートを相互に連結する。地震発生時に複数の通気性免震滑動プレートがコンクリート床４０上のベースプレート上を滑動して免震機能を生じる。【選択図】図３
0003218980.tif 000002
【実用新案登録請求の範囲】
【請求項１】
複数の通気性免震滑動プレートをベースプレート表面に載置し、通気性免震滑動プレートコーナー部に固定座金と受け座金を嵌着し、該固定座金と該受け座金に螺合される固定ネジを締め付けて、該通気性免震滑動プレートを相互に連結することを特徴とする通気性滑動免震フロア。
【請求項２】
通気性免震滑動プレートは、通気孔を有する表面と凹凸面を有する裏面と、一体的に形成されたコーナー部から空洞部が構成されていることを特徴とする請求項１記載の通気性滑動免震フロア。
【請求項３】
通気性免震滑動プレート裏面の凹面には、鋼球が嵌着されており、受け座金にはボールプランジャーが固定されており、該ボールプランジャーは高さ調節が可能な構造であって、高さ調節後は、該通気性免震滑動プレート裏面の受け座金に固定されることを特徴とする請求項１記載の通気性滑動免震フロア。
【請求項４】
通気性免震滑動プレートコーナー部には、固定座金と受け座金が嵌着され、固定ネジの締め付けによって連結され、地震発生時において複数の通気性免震滑動プレートがコンクリート床上のベースプレート上を滑動して免震機能を生じるように構成されていることを特徴とする請求項１記載の通気性滑動免震フロア。
【考案の詳細な説明】
【技術分野】
【０００１】  本考案は通気性滑動免震フロアに関し、特に空調用送風を通気性床材表面より吐出するように構成し、天井の空調吹出口や天井裏のダクトが不要となり、コストを低減し、空間を広く利用することができ、床面からの吹出しとなるので従来のような空調時の強い空気流を感じることのない通気性滑動免震フロアに関するものである。
【背景技術】
【０００２】  従来、二重床を用いて、上床を形成する脚部間を空調用の通気路として上床より空気を吹き出す通気フロアが開発されており、材質の軽量化、運搬、施工性等を改善するために合成樹脂で上床板部と下方に向かって突設した脚部を有するユニットが提案されている。
【先行技術文献】
【特許文献】
【０００３】
【特許文献１】特開２０１３−８３１０５号公報
【考案の概要】
【考案が解決しようとする課題】
【０００４】  前記せる引用文献の特開２０１３−８３１０５号公報では、全体が樹脂で成形され、平面形状が四角形の上床板部と、四隅部に下方に向かって突設した脚部を有する通気フロアユニットを備え、脚部の間を空気通路とした通気フロアユニットであるので、強度も免震効果も無いものであった。【０００５】  これに対して、本考案の通気性滑動免震フロアの課題は、空調用空気を部屋全体にムラなく送出できるように構成すると共に、免震機能を有する通気性滑動免震フロアを提供することである。
【課題を解決するための手段】
【０００６】  本考案の通気性滑動免震フロアは、複数の通気性免震滑動プレートをベースプレート表面に載置し、通気性免震滑動プレートコーナー部に固定座金と受け座金を嵌着し、該固定座金と該受け座金に螺合される固定ネジを締め付けて、該通気性免震滑動プレートを相互に連結することを特徴とし、通気性免震滑動プレートは、通気孔を有する表面と凹凸面を有する裏面と、一体的に形成されたコーナー部から空洞部が構成されていることを特徴とし、通気性免震滑動プレート裏面の凹面には、鋼球が嵌着されており、受け座金にはボールプランジャーが固定されており、該ボールプランジャーは高さ調節が可能な構造であって、高さ調節後は、該通気性免震滑動プレート裏面の受け座金に固定されることを特徴とし、且つ、通気性免震滑動プレートコーナー部には、固定座金と受け座金が嵌着され、固定ネジの締め付けによって連結され、地震発生時において複数の通気性免震滑動プレートがコンクリート床上のベースプレート上を滑動して免震機能を生じるように構成したことを特徴とする通気性滑動免震フロアを提供する。
【考案の効果】
【０００７】  以上説明したように本考案に係る通気性滑動免震フロアによれば、天井の空調吹出口や天井裏のダクトが不要となり、コストを低減し、空間を広く利用することができ、床面からのムラの無い吹出しとなるので従来のような空調時の強い空気流を感じることがなく、また、本考案の通気性滑動免震フロアによれば、地震発生時において複数の通気性免震滑動プレートがコンクリート床上のベースプレート上を滑動して免震機能を生じる効果がある。
【図面の簡単な説明】
【０００８】
【図１】  本考案に係る通気性滑動免震フロアの部分斜視図である。
【図２】  本考案に係る通気性滑動免震フロアの部分断面図である。
【図３】  本考案に係る通気性滑動免震フロアの部分断面図である。
【図４】  本考案に係る通気性滑動免震フロアの部分断面図である。
【考案を実施するための形態】
【０００９】  図１に示すように、複数の通気性免震滑動プレート２０をベースプレート３０の表面に載置し、通気性免震滑動プレートコーナー部２０１に固定座金２３と受け座金２３２を嵌着し、該固定座金２３と該受け座金２３２に螺合される固定ネジ２４を締め付けて、該通気性免震滑動プレート２０を相互に連結し、該通気性免震滑動プレート２０の表面に通気性カーペット１０を敷設して通気性滑動免震フロアが完成されている。
【００１０】  図２乃至図４に示すように、通気性免震滑動プレート２０は、複数の通気孔２２を有する表面と、凹凸面２０２，２０３を有する裏面と、一体的に形成されたコーナー部２０１とから構成されており空洞部２１が形成されている。
【００１１】  該空洞部２１に空調用空気が送りこまれると空調用空気は通気性免震滑動プレート２０の表面に形成された複数の通気孔２２より通気性カーペット１０を通過して室内に吹き出される。
【００１２】  図３乃至図４に示すように、通気性免震滑動プレート２０の裏面の凹部２０３には、鋼球５２が嵌着されており、地震発生時には鋼球５２はベースプレート３０上を回転しながら免震機能を生じるように構成されている。
【００１３】  また、図３乃至図４に示すように、ボール５１を有するボールプランジャー５０が受け座金２３２に固定されており、該ボールプランジャー５０は高さ調節が可能な構造であって、高さ調節後は、該通気性免震滑動プレート２０裏面の受け座金２３２に強固に固定される。
【００１４】  したがって、地震発生時の振動によって、通気性免震滑動プレート２０の裏面の凹部２０３に嵌着された鋼球５２及び受け座金２３２に固定されたボールプランジャー５０の先端に保持されているボール５１が回転しながら、該通気性免震滑動プレート２０がコンクリート床４０上のベースプレート３０上を滑動して免震機能を生じさせることができる。
【００１５】  また、図２に示すように、ボールプランジャー５０が設置されていない場合でも、通気性免震滑動プレート２０の裏面の凸部２０２がコンクリート床４０上のベースプレート３０上を滑動して免震機能を生じさせることができる。
【００１６】  図２乃至図４に示すように、通気性免震滑動プレートコーナー部２０１には、固定座金２３と受け座金２３２が嵌着され、固定ネジ２４の締め付けによって連結され、地震発生時において複数の通気性免震滑動プレート２０がコンクリート床４０上のベースプレート３０上を一体的に滑動して免震機能を生じるように構成されている。
【産業上の利用可能性】
【００１７】  本考案は、以上説明したような構成であるので、ＯＡフロアシステム等に使用する場合従来型天井吹出空調のように室内にいる人に空気流を強く感じさせることもなく、室内の空気をかき混ぜるようなこともなく、ダクト工事や天井工事などのコストを削減することができ、更に地震発生時において複数の通気性免震滑動プレートがコンクリート床上のベースプレート上を滑動して免震機能を生じる効果があり、工場、設計室、美術品配置室、等に幅広く利用できるので、産業上の利用可能性の高いものである。
【符号の説明】
【００１８】  １０          通気性カーペット
２０          通気性免震滑動プレート
２０１          通気性免震滑動プレートコーナー部
２０２          凸部
２０３          凹部
２０４          平面部
２１          空洞部
２２          通気孔
２３          固定座金
２３１          座金係止部
２３２          受け座金
２４          固定ネジ
３０          ベースプレート
４０          コンクリート床
５０          ボールプランジャー
５１          ボール
５２          鋼球
【図１】
0003218980.tif 000003
【図２】
0003218980.tif 000004
【図３】
0003218980.tif 000005
【図４】
0003218980.tif 000006